(57)【特許請求の範囲】
【請求項１】
配線器具を取付けた取付枠を造営面の開口に取付け、取付枠の室内側に略ロ字状のプレートボディ及び化粧プレートを配し、プレートボディの裏面にシート状の通気防止パッキンを一体化し、通気防止パッキンに配線器具が弾入されて気密性が維持される窓を形成し、配線器具を臨ませる窓孔を形成した化粧プレートの裏面に爪を突出し、プレートボディに爪を係入する孔を形成し、通気防止パッキンに爪の先端部を挿入する凹部を形成し、化粧プレートの爪をプレートボディの孔に係止するとともに爪の先端部を通気防止パッキンの凹部に挿入していることを特徴とする配線器具の通気防止構造。
【請求項２】
通気防止パッキンに、プレートボディを取付枠に取付けるビスのような固定具を挿通する通孔を形成して成ることを特徴とする請求項１記載の配線器具の通気防止構造。
【発明の詳細な説明】
【０００１】
【発明の属する技術分野】
本発明は、配線器具の通気防止構造に関し、詳しくは、温度制御された室内空気が壁面のような造営面に取付けられる配線器具の取付け箇所から室外に漏洩したり、また、造営面の裏の外気が配線器具の周部をへて室内に流入するのを阻止して温度制御の熱効率を高めようとする技術に係るものである。
【０００２】
【従来の技術】
従来、壁面のような造営面に配線器具を取付けた場合に、配線器具を取付けた周部から室内空気が漏洩し、また、外気が室内に侵入し、室温を温度制御する熱効率が低下するものである。
そこで、図１２に示す特公平３−３６９１２号公報のように、配線器具１を取付けた取付枠２を壁のような造営面に形成した開口に取付け、プレート枠５及び耐火カバー７を取付枠２にビスなどにて取付け、表面側から化粧プレート６を取付けて、耐火仕様のための耐火カバー７によって室内外の通気を防止することが考えられるが、通気防止機能が低く、熱効率を高め難いものとなっていた。
【０００３】
【発明が解決しようとする課題】
本発明はこのような問題に鑑みてなされたものであり、その目的とするところは、温度制御された室内空気が壁面のような造営面に設けられた配線器具から室外に漏洩したり、また、壁裏の外気が配線器具の周部をへて室内に流入するのを阻止して温度制御の熱効率を高めることができる配線器具の通気防止構造を提供しようとするにある。
【０００４】
【課題を解決するための手段】
請求項１においては、配線器具１を取付けた取付枠２を造営面３の開口に取付け、取付枠２の室内側に略ロ字状のプレートボディ５及び化粧プレート６を配し、プレートボディ５の裏面にシート状の通気防止パッキンＰを一体化し、通気防止パッキンＰに配線器具１が弾入されて気密性が維持される窓２２を形成し、配線器具１を臨ませる窓孔１０を形成した化粧プレート６の裏面に爪１２を突出し、プレートボディ５に爪１２を係入する孔９を形成し、通気防止パッキンＰに爪１２の先端部を挿入する凹部１３を形成し、化粧プレート６の爪１２をプレートボディ５の孔９に係止するとともに爪１２の先端部を通気防止パッキンＰの凹部１３に挿入していることを特徴とするものである。
請求項２においては、通気防止パッキンＰに、プレートボディ５を取付枠２に取付けるビスのような固定具１４を挿通する通孔１５を形成して成ることを特徴とするものである。
【０００７】
（作用）
請求項１においては、プレートボディ５の裏面に一体化した通気防止パッキンＰによって、配線器具１の周部からの通気を阻止することができ、温度調整された室内空気が壁面のような造営面の裏に逃げたり、また、壁面のような造営面の裏面からの外気が室内に侵入するのを阻止することができ、温度調整をおこなうための熱効率を向上させることができる。ところで、プレートボディ５に通気防止パッキンＰを一体化するのに際して、熱着、接着あるいは一体成形（二層成形）もしくは別な保持金具にて挟持するようにしてもよい。
更に、爪１２を孔５に挿入して係止する化粧プレート６のプレートボディ５への連結箇所における通気を防止できる。
【００１０】
請求項２においては、シート状の通気防止パッキンＰを使用しながら、プレートボディ５を取付枠２に取付けるのを容易におこなえる。
【００１１】
【発明の実施の形態】
図１（ａ）は分解斜視図、同図（ｂ）は化粧プレート６の部分断面図であり、図２は本発明のシート状の通気防止パッキンＰ３（Ｐ）を示し、図３はプレートボディ５を示し、図４〜図６は組立て状態を示し、図７及び図８は栓状の通気防止パッキンＰ１ ，Ｐ２ を示している。
【００１２】
金属製の取付枠２にはコンセントのような例えば２個モジュールの配線器具１が取付けられている。取付枠２がビス１６にて造営面３を構成する壁パネル１７に固定されている。取付枠１にはオレフィン系のエラストマーでシート状に成形した通気防止パッキンＰ3 を介して合成樹脂製の略ロ字型のプレートボディ５が取付けられ、プレートボディ５の表面側から化粧プレート６が取付けられ、化粧プレート６の窓孔１０に臨んで、配線器具１が造営面３に取付けられている。本発明における外装プレートＤは、上述した通気防止パッキンＰ3 を押さえるプレートボディ５と、化粧プレート６とで構成されている。
【００１３】
取付枠１には、プレートボディ５を取付けるためのネジ孔１８、例えば、コンクリート製の壁面に対する取付け用孔１９、周知の挟み金具用の長孔及びＬ字形の取付孔２０が形成されている。
通気防止パッキンＰ3 には、窓２２が形成され、この窓２２に配線器具１が弾入されて気密性を維持して、配線器具１の周部の取付枠２を通気防止パッキンＰ3 にて覆い、取付枠２を壁パネル１７に取付ける場合の室内と壁パネル１７内の通気を防止するようになっている。
【００１４】
通気防止パッキンＰ3 には大きい角状の通孔１５，１５が形成され、また、小さい角状の凹部１３，１３が形成されている。合成樹脂製のプレートボディ５は略ロ字状に形成され、通気防止パッキンＰ3 の周部を押さえることができるようにしている。プレートボディ５にはビス挿通孔２３が形成され、挿通したビスのような固定具１４を通気防止パッキンＰ3 の通孔１５に挿通して、取付枠２のネジ孔１８に螺入し、プレートボディ５を取付枠２に取付けるとともに通気防止パッキンＰ3 を挟持して、充分な気密性を維持できるようにしている。また、化粧プレート６の爪１２がプレートボディ５の孔９の縁に係止されて化粧プレート６をプレートボディ５に取付け、爪１２の先端部が通気防止パッキンＰ3 の凹部１３に挿通されて、爪１２による連結箇所における通気も抑制している〔図１（ｂ）参照〕。
【００１５】
図６に示すように、配線器具１の底部ケース３２には各モジュール毎に１対の電線挿通孔１ａ，１ａが形成されて、電線３３を底面側から挿入できるようにしてあり、電線挿通孔１ａの奥部には速結端子（図示せず）を設けてあり、挿入した電線３３を速結端子によって結線できるようにしている。速結端子は、導電性のばね片を曲げて固定接点に対向して設け、ばね片と固定接点間に挿入された電線３３を抜止めを図って挟持して電気的及び機械的に連結する構成のものである。そして、底部ケース３２に形成した操作孔３１には解除釦３０が臨んでいて、解除釦３０を外部から押し込み操作することで、速結端子に保持されている電線３３を解除して抜き外すことができるようにしている。
【００１６】
図７は栓型の通気防止パッキンＰ1 を示し、電線挿通孔１ａ…のうち、使用されていない予備の電線挿通孔１ａ，１ａに挿入して、予備の電線挿通孔１ａ，１ａを閉塞するものである。
図８も栓型の通気防止パッキンＰ2 を示し、速結端子の解除釦３０が臨む操作孔３１，３１に挿入して閉塞するものである。栓状の通気防止パッキンＰ1 ，Ｐ2 はシート状の通気防止パッキンＰ3 と同材質のものである。そして、通気防止パッキンＰは軟質塩化ビニル樹脂製のものでもよい。
【００１７】
しかして、取付枠２の表面に配線器具１を挿通して配設したシート状の通気防止パッキンＰ3 によって、配線器具１の周部からの通気を防止することができ、又、配線器具１の使用されていない予備の電線挿通孔１ａ，１ａ及び速結端子の解除釦３０が臨む操作孔３１に挿入した栓型の通気防止パッキンＰ2 によって、配線器具１の使用されていない電線挿通孔１ａ及び通気が可能な操作孔３１を閉塞して通気を阻止して、温度調整された室内空気が壁面のような造営面３の裏に逃げたり、また、壁面のような造営面３の裏面からの外気が室内に侵入するのを阻止することができ、温度調整をおこなうための熱効率を向上させるのである。
【００１８】
ところで、本発明においては、図９に示すように、プレートボディ５にシート状の通気防止パッキンＰ３を一体化したものである。
【００１９】
一体化する手段としては、部分又は全体を熱着したり、接着したり、更に、二層成形したり、更に、別体の金具でシート状の通気防止パッキンＰ3 をプレートボディ５に挟持してもよいものである。
しかして、シート状の通気防止パッキンＰ3 を使用しながら、シート状の通気防止パッキンＰ3 はプレートボディ５に一体化されていて、シート状の通気防止パッキンＰ3 の取扱いが容易になるのである。
【００２０】
尚、図１０に示すように、シート状の通気防止パッキンＰ３に、１個モジュールの窓孔２２を間隔を隔てて２個形成してもよいものである。
【００２１】
更に、図１１に示すように、シート状の通気防止パッキンＰ３に、１個モジュールの窓孔２２を略中央に１個形成してもよいものである。
【００２２】
又、本発明の本実施の形態においては、上述のような周知な取付枠２を使用するが、取付け用孔１９，２０等がないものでもよい。
【００２３】
【発明の効果】
請求項１においては、配線器具を取付けた取付枠を造営面の開口に取付け、取付枠の室内側に略ロ字状のプレートボディ及び化粧プレートを配し、プレートボディの裏面にシート状の通気防止パッキンを一体化し、通気防止パッキンに配線器具が弾入されて気密性が維持される窓を形成し、配線器具を臨ませる窓孔を形成した化粧プレートの裏面に爪を突出し、プレートボディに爪を係入する孔を形成し、通気防止パッキンに爪の先端部を挿入する凹部を形成し、化粧プレートの爪をプレートボディの孔に係止するとともに爪の先端部を通気防止パッキンの凹部に挿入しているから、プレートボディの裏面に一体化した通気防止パッキンによって、配線器具の周部からの通気を阻止することができ、温度調整された室内空気が壁面のような造営面の裏に逃げたり、また、壁面のような造営面の裏面からの外気が室内に侵入するのを阻止することができ、温度調整をおこなうための熱効率を向上させることができるという利点がある。しかも、化粧プレートの爪をプレートボディの孔に係止するとともに爪の先端部を通気防止パッキンの凹部に挿入しているから、爪を孔に挿入して係止する化粧プレートのプレートボディへの連結箇所における通気を防止できるという利点がある。
【００２６】
請求項２においては、通気防止パッキンには、プレートボディを取付枠に取付けるビスのような固定具を挿通する通孔を形成してあるから、通気防止パッキンを使用しながら、プレートボディを取付枠に取付けるのを容易におこなえるという利点がある。
【図面の簡単な説明】
【図１】本発明の実施の形態１を示し、（ａ）は分解斜視図、（ｂ）は化粧プレートの部分断面図である。
【図２】同上におけるシート状の通気防止パッキンを示し、（ａ）は正面図、（ｂ）は一部破断した側面図、（ｃ）は背面図である。
【図３】同上におけるプレートボディを示し、（ａ）は正面図、（ｂ）は一部破断した側面図、（ｃ）は背面図、（ｄ）は一部破断した側面図、（ｅ）は部分拡大断面図である。
【図４】同上におけるシート状の通気防止パッキンを取付けた状態の正面図である。
【図５】同上における（ａ）はシート状の通気防止パッキンを取付けた状態の縦断面図、（ｂ）は横断面図である。
【図６】同上におけるシート状の通気防止パッキンを取付けた状態の背面図である。
【図７】同上の栓型で電線挿通孔を閉塞する通気防止パッキンを示し、（ａ）は平面図、（ｂ）は側面図、（ｃ）は底面図、（ｄ）は使用状態の断面図である。
【図８】同上の栓型で解除釦の操作孔を閉塞する通気防止パッキンを示し、（ａ）は平面図、（ｂ）は正面図、（ｃ）は側面図、（ｄ）は底面図、（ｅ）は使用状態の断面図である。
【図９】同上の部分拡大断面図である。
【図１０】同上の他の実施の形態を示すシート状の通気防止パッキンの斜視図である。
【図１１】同上の更に他の実施の形態を示すシート状の通気防止パッキンの斜視図である。
【図１２】従来例の分解斜視図である。
【符号の説明】
１    配線器具
１ａ  電線挿通孔
２    取付枠
３    造営面
１０  窓孔
１２  爪
１３  凹部
３０  解除釦
３１  操作孔
Ｄ    外装プレート
Ｐ    通気防止パッキン
【図１】
0003543594.tif 000002
【図２】
0003543594.tif 000003
【図３】
0003543594.tif 000004
【図４】
0003543594.tif 000005
【図５】
0003543594.tif 000006
【図６】
0003543594.tif 000007
【図７】
0003543594.tif 000008
【図８】
0003543594.tif 000009
【図９】
0003543594.tif 000010
【図１０】
0003543594.tif 000011
【図１１】
0003543594.tif 000012
【図１２】
0003543594.tif 000013